【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
取得分散層と、
前記取得分散層の上の吸収性層と、
前記吸収性層の上の裏打ち層と
を備えることを特徴とする創傷被覆材。
【請求項２】
前記裏打ち層を陰圧源に接続するように構成された流体コネクタをさらに備えることを特徴とする、請求項１に記載の創傷被覆材。
【請求項３】
前記流体コネクタが前記裏打ち層内の開口部の上に位置付けられていることを特徴とする、請求項２に記載の創傷被覆材。
【請求項４】
前記取得分散層が、流体が前記創傷被覆材を通って吸い上げられるときに前記流体を水平方向に吸い込むように構成されることを特徴とする、請求項１から３のいずれか一項に記載の創傷被覆材。
【請求項５】
前記取得分散層が、セルロース繊維と複合繊維との混合物を含み、前記複合繊維が、ＰＥＴコアとＰＥ外側層とを備えることを特徴とする、請求項１から４のいずれか一項に記載の創傷被覆材。
【請求項６】
前記取得分散層が複数の繊維を含み、大部分の繊維体積が、水平に、または実質的に若しくは概ね水平に延在することを特徴とする、請求項１から５のいずれか一項に記載の創傷被覆材。
【請求項７】
前記取得分散層が複数の繊維を含み、約８０％から約９０％の繊維体積が、水平に、または実質的に若しくは概ね水平に延在することを特徴とする、請求項１から６のいずれか一項に記載の創傷被覆材。
【請求項８】
前記取得分散層が複数の繊維を含み、全て又は実質的に全ての繊維体積が、水平に延在するか、または実質的に若しくは概ね水平に延在することを特徴とする、請求項１から７のいずれか一項に記載の創傷被覆材。
【請求項９】
前記取得分散層が複数の繊維を含み、大多数の前記繊維が、前記取得分散層の厚さに対して垂直な距離であって前記取得分散層の厚さよりも大きい距離にわたっていることを特徴とする、請求項１から８のいずれか一項に記載の創傷被覆材。
【請求項１０】
陰圧下のものとで前記取得分散層を通って垂直に吸い込まれる流体の量に対する前記取得分散層にわたって側方に吸い込まれる流体の量の割合が約２：１以上となるような構成となっていることを特徴とする、請求項１から９のいずれか一項に記載の創傷被覆材。
【請求項１１】
前記吸収性層と前記取得分散層とが粘着、縫い付け、及び熱接合のうちの１つ以上によって互いに結合されることを特徴とする、請求項１から１０のいずれか一項に記載の創傷被覆材。
【請求項１２】
前記吸収性層が繊維質網状組織と繊維質網状組織の中の高吸収性粒子とを備えることを特徴とする、請求項１から１１のいずれか一項に記載の創傷被覆材。
【請求項１３】
前記取得分散層の下に創傷接触層をさらに備えることを特徴とする、請求項１から１２のいずれか一項に記載の創傷被覆材。
【請求項１４】
前記創傷接触層と前記取得分散層の間に透過層をさらに備えることを特徴とする、請求項１から１３のいずれか一項に記載の創傷被覆材。
【請求項１５】
前記透過層が流体を垂直に吸い込むように構成されることを特徴とする、請求項１４に記載の創傷被覆材。
【請求項１６】
前記透過層が、頂部織物層、底部織物層、及び、頂部織物層と底部織物層との間でほぼ垂直に延在する複数のフィラメントを備えることを特徴とする、請求項１４又は１５に記載の創傷被覆材。
【請求項１７】
体積での大部分のフィラメントが垂直にまたは実質的に若しくは概ね垂直に延在することを特徴とする、請求項１４から１６のいずれか一項に記載の創傷被覆材。
【請求項１８】
約８０体積％から約９０体積％の前記フィラメントが垂直にまたは実質的に若しくは概ね垂直に延在することを特徴とする、請求項１４から１７のいずれか一項に記載の創傷被覆材。
【請求項１９】
体積での全てまたは実質的に全ての前記フィラメントが垂直にまたは実質的に若しくは概ね垂直に延在することを特徴とする、請求項１４から１８のいずれか一項に記載の創傷被覆材。
【請求項２０】
大多数のフィラメントが、前記底部織物層から上向きに、及び／又は、前記頂部織物層から下向きに延在し、前記頂部織物層と前記底部織物層との間の距離の半分よりも長い長さにわたって延在することを特徴とする、請求項１４から１９のいずれか一項に記載の創傷被覆材。
【請求項２１】
大多数のフィラメントが、前記頂部織物層及び前記底部織物層に対して平行な方向よりも前記頂部織物層及び前記底部織物層に対して垂直な方向に大きい距離にわたっていることを特徴とする、請求項１４から２０のいずれか一項に記載の創傷被覆材。
【請求項２２】
陰圧下のもとで前記透過層にわたって側方に吸い込まれる流体の量に対する前記透過層を通って垂直に吸い込まれる流体の量の割合が約２：１以上となるような構成となっていることを特徴とする、請求項１４から２１のいずれか一項に記載の創傷被覆材。
【請求項２３】
前記取得分散層がビスコース、ポリエステル、ポリプロピレン、セルロース、ポリエチレン、またはこれらの材料のうちいくつかもしくはすべての組み合わせを含むことを特徴とする、請求項１から２２のいずれか一項に記載の創傷被覆材。
【請求項２４】
前記吸収性層が３０％から４０％の間のセルロース基材と６０％から７０％の間の高吸収ポリマーとを含むことを特徴とする、請求項１から２３のいずれか一項に記載の創傷被覆材。
【請求項２５】
前記吸収性層がセルロース繊維と複合繊維との混合物を含み、前記複合繊維がＰＥＴコアとＰＥ外側層とを備えることを特徴とする、請求項１から２４のいずれか一項に記載の創傷被覆材。
【請求項２６】
前記吸収性層が複数の層を含むことを特徴とする、請求項１から２５のいずれか一項に記載の創傷被覆材。
【請求項２７】
前記吸収性層の前記複数の層が、吸収された流体を横に広げるように構成されたテクスチャ加工層と、流体を前記吸収性層の内部へ吸い上げるように構成された吸収層と、流体を吸収するように構成された貯留層と、前記貯留層への逆吸い込み効果を付与するように構成された液体分散層とを含むことを特徴とする、請求項２６に記載の創傷被覆材。
【請求項２８】
前記吸収性層が組織分散剤層をさらに備えることを特徴とする、請求項１から２７のいずれか一項に記載の創傷被覆材。
【請求項２９】
前記裏打ち層が透明または半透明であり、前記吸収性層と前記裏打ち層の間に不明瞭化層をさらに備えることを特徴とする、請求項１から２８のいずれか一項に記載の創傷被覆材。
【請求項３０】
前記不明瞭化層内の１つまたは複数の覗き窓をさらに備えることを特徴とする、請求項２９に記載の創傷被覆材。
【請求項３１】
少なくとも前記不明瞭化層が、前記不明瞭化層の長さに沿った中央部分が狭窄した形状になっていることを特徴とする、請求項２９又は３０に記載の創傷被覆材。
【請求項３２】
前記不明瞭化層が３つの覗き窓からなる列を２つ備えることを特徴とする、請求項２９から３１のいずれか一項に記載の創傷被覆材。
【請求項３３】
前記不明瞭化層が３つの覗き窓からなる列を１つ備えることを特徴とする、請求項２９から３１のいずれか一項に記載の創傷被覆材。
【請求項３４】
前記不明瞭化層が８つの覗き窓からなる列を１つ備えることを特徴とする、請求項２９から３１のいずれか一項に記載の創傷被覆材。
【請求項３５】
前記不明瞭化層が５つの覗き窓からなる列を２つ備えることを特徴とする、請求項２９から３１のいずれか一項に記載の創傷被覆材。
【請求項３６】
前記不明瞭化層が５つの覗き窓からなる列を１つ備えることを特徴とする、請求項２９から３１のいずれか一項に記載の創傷被覆材。
【請求項３７】
前記不明瞭化層が、前記不明瞭化層の幅に沿った中央部分と前記不明瞭化層の長さに沿った中央部分との両方が狭窄した形状になっていることを特徴とする、請求項２９又は３０に記載の創傷被覆材。
【請求項３８】
前記不明瞭化層が３×３配列の覗き窓を備えることを特徴とする、請求項２９、３０、又は３７に記載の創傷被覆材。
【請求項３９】
前記不明瞭化層が五点形配列の覗き窓を備えることを特徴とする、請求項２９、３０、又は３７に記載の創傷被覆材。
【請求項４０】
前記不明瞭化層が６つの突出部を有する形状を備えることを特徴とする、請求項２９又は３０に記載の創傷被覆材。
【請求項４１】
前記吸収性層および前記取得分散層が前記不明瞭化層と実質的に同じ形状であることを特徴とする、請求項２９から４０のいずれか一項に記載の創傷被覆材。
【請求項４２】
前記不明瞭化層が十字形またはマルタ十字形の穴をさらに備え、前記穴の上に、陰圧を伝えるための流体コネクタが接続されることができることを特徴とする、請求項２９から４１のいずれか一項に記載の創傷被覆材。
【請求項４３】
創傷被覆材、および
シートであって、複数の密封ストリップと前記シートからの前記密封ストリップの分離を容易にするように構成されたミシン目とを備えるシート
を備えることを特徴とする陰圧創傷治療キット。
【請求項４４】
前記創傷被覆材に取り付けられる流体コネクタをさらに備えることを特徴とする、請求項４３に記載の陰圧創傷治療キット。
【請求項４５】
複数の密封ストリップを備える前記シートが粘着フィルムと前記粘着フィルムの粘着面の上の少なくとも１つの保護層とを備えることを特徴とする、請求項４３又は４４に記載の陰圧創傷治療キット。
【請求項４６】
前記粘着フィルムの非粘着面に剥離可能に付着された担体層をさらに備えることを特徴とする、請求項４５に記載の陰圧創傷治療キット。
【請求項４７】
前記担体層が少なくとも１つのタブを備えることを特徴とする、請求項４６に記載の陰圧創傷治療キット。
【請求項４８】
前記少なくとも１つの保護層が中央保護層と２つの外側保護層とを含むことを特徴とする、請求項４５から４７のいずれか一項に記載の陰圧創傷治療キット。